Podtech/llm-jp-corpus-v4-ja_patent huggingface dataset:
(57)【特許請求の範囲】
【請求項１】
キャップを備える円筒形の棒状部材を少なくとも２本一度に収納するケースであって、
ケース本体とこのケース本体に枢支軸を介して揺動可能に合わさって収納空間を形成する蓋体とを備え、
前記収納空間に、蓋体と同一軸上にて揺動可能に保持されるホルダーを設け、
該ホルダーは、棒状部材のそれぞれをキャップとともに前記枢支軸の軸心に沿う向きで着脱自在に保持する少なくとも２つの半円筒形の凹部を備え、
該半円筒形の凹部は、棒状部材の本体部分のキャップへの装着に際しガイドとなる長さを有し、
前記凹部に、前記キャップに係合し内容物を充填した本体部分を引き抜く際に該キャップをホルダーに残しておくアンダーカットと、該凹部の壁面に沿って設けられ、前記棒状部材の本体部分とキャップとの間に形成される溝部に適合して前記棒状部材の本体部分のみを前記ホルダーから引き抜く細長い凸部を設けた、ことを特徴とする、棒状部材の収納ケース。
【発明の詳細な説明】
【０００１】
【発明の属する技術分野】
本発明は、口紅やリップクリーム等の棒状部材を２本以上まとめて収納するのに便利な収納ケースに関するものである。
【０００２】
【従来の技術】
口紅やリップクリーム等に使用されている収納容器はそれを適量取り出すことができる円筒形のケース本体とこのケース本体の先端に合わさって密封するキャップを構成部材としているものが一般に広く普及している。
【０００３】
かかる収納容器は、それ自体を単品で携帯するのが普通であるが、最近では、様々な使用形態に対処することを目的として数種類の棒状部材をひとまとめにして収納しておくケースが使用されるようになってきており、その需要も益々増加する傾向にある。
【０００４】
ところで、従来知られているケースは、複数の棒状部材を収納するに当たってはケース本体にセットしたホルダーとなるキャップから本体部分を取り外すことを前提とした構造のものであり、その為単品での携帯が不可能となり、却って使いにくくなる不具合がある。
【０００５】
【発明が解決しようとする課題】
本発明の課題は、数種類の棒状部材をキャップとともに収納でき、しかも、使用に際しては簡便に着脱することができる使い勝手のよい収納ケースを提案するところにある。
【０００６】
【課題を解決するための手段】
本発明は、キャップを備える円筒形の棒状部材を少なくとも２本一度に収納するケースであって、
ケース本体とこのケース本体に枢支軸を介して揺動可能に合わさって収納空間を形成する蓋体とを備え、
前記収納空間に、蓋体と同一軸上にて揺動可能に保持されるホルダーを設け、
該ホルダーは、棒状部材のそれぞれをキャップとともに前記枢支軸の軸心に沿う向きで着脱自在に保持する少なくとも２つの半円筒形の凹部を備え、
該半円筒形の凹部は、棒状部材の本体部分のキャップへの装着に際しガイドとなる長さを有し、
前記凹部に、前記キャップに係合し内容物を充填した本体部分を引き抜く際に該キャップをホルダーに残しておくアンダーカットと、該凹部の壁面に沿って設けられ、前記棒状部材の本体部分とキャップとの間に形成される溝部に適合して前記棒状部材の本体部分のみを前記ホルダーから引き抜く細長い凸部を設けた、ことを特徴とする棒状部材の収納ケースである。
【０００８】
【発明の実施の形態】
以下、図面を用いて本発明をより具体的に説明する。
図１は本発明に従う収納ケースの外観斜視図であり、図２（ａ）〜（ｃ）はケースの平面、側面及び縦断面をそれぞれ示したものである。
【０００９】
図１および図２において１はケース本体、２はケース本体１に枢支軸ｓを介して揺動可能に保持される蓋体であり、蓋体２がケース本体１に合わさることによって収納空間ｋを形成する。
【００１０】
また、３は蓋体２と同じ枢支軸ｓにて揺動可能に保持され収納空間ｋに配置されるホルダーである。このホルダー３には半円筒形の凹部３ａと、この凹部３ａの縁部で一体になるアンダーカット３ｂが設けられていて、口紅等の棒状部材Ｂを枢支軸ｓの軸心に沿う向きで該凹部３ａに入れ込んで保持することができるようになっている。
【００１１】
図３に、上掲図１に示した収納ケースの分解斜視図を示す。
【００１２】
棒状部材Ｂをホルダー３に装着するにはキャップを付けたまま凹部３ａに押し込むだけでよく、また、かかる棒状部材Ｂを取り外すには、その端面に指をあてがって引き上げるだけでよい。
【００１３】
ホルダー３をケース本体１から蓋体２に向けて引き上げ、ホルダー３に装着した棒状部材Ｂの本体部分Ｂ１（内容物を装填してあるほう）を凹部３ａの開放端から引き抜くことでキャップＢ２をホルダー３に残しておくことができ、キャップを簡単に紛失することはない。また、本体部分Ｂ１の装着に際しては、キャップ前方のホルダー部分がガイドとなり、本体部分Ｂ１のキャップＢ２への収納・装着が容易となる。
【００１４】
ホルダー３の凹部３ａの壁面に沿い細長い凸部を設け、棒状部材Ｂの本体部分Ｂ１とキャップＢ２の間に溝部を形成し、該凸部を溝部に適合させることにより、棒状部材Ｂの本体部分Ｂ１のみをホルダー３から簡単に引き抜くことができる。
【００１５】
上掲図１に示したところの収納ケースは、棒状部材を２本収納する場合を例として示したが、ホルダー３の凹部３ａの数を増やすことで収納本数の変更は可能であり、基本的構成に関しては何ら変るところはない。
【００１６】
蓋体２の裏側（収納空間ｋ側）には鏡を配置することもできる。
【００１７】
【発明の効果】
本発明によれば、口紅等の棒状部材を単品で持ち歩くことができる状態のまま、複数本まとめて簡便に収納できるので使い勝手がよい。また、キャップ前方のホルダー部分が、本体部分のキャップへの収納・装着時のガイドの機能を果たすため、本体部分の収納・装着が容易に行える。
【図面の簡単な説明】
【図１】  本発明に従う収納ケースの構成説明図である。
【図２】  （ａ）は図１に示した収納ケースの平面（蓋体を除く）を示した図であり、（ｂ）は側面（ケース本体及び蓋体は断面）を示した図であり、（ｃ）は縦断面を示した図である。
【図３】  図１に示した収納ケースの分解状態を示した図である。
【符号の説明】
１  ケース本体
２  蓋体
３  ホルダー
３ａ  凹部
３ｂ  アンダーカット
Ｂ  棒状部材
ｋ  収納空間
ｓ  枢支軸
【図１】
0004514377.tif 000002
【図２】
0004514377.tif 000003
【図３】
0004514377.tif 000004
(57)【特許請求の範囲】
【請求項１】
上側フレーム（１２）と下側フレーム（６）とでフレームを構成し、マグネット（２）の上側と下側に上側ポールピース（１）と下側ポールピース（３）を各々設置し、これらの外周にデュアルギャップ用のボイスコイル（４）とリングヨーク（７）を配設してデュアル磁気ギャップを形成し、ボイスコイル（４）を上側ダンパー（１０）と下側ダンパー（５）によって支持する構造のスピーカにおいて、
予め、内周部（１１ａ）と外周部（１１ｂ）とに上側ダンパー（１０）を接着したスペーサ（１１）を上側ポールピース（１）とボイスコイル（４）とに固着し、
スペーサ（１１）のジョイント部（１１ｃ）を切除したことを特徴とするスピーカ。
【発明の詳細な説明】
【０００１】
【発明の属する技術分野】
本発明はスピーカに関し、上側フレームと下側フレームとでフレームを構成し、マグネットの上側と下側に上側ポールピースと下側ポールピースを各々設置し、これらの外周にデュアルギャップ用のボイスコイルとリングヨークを配設してデュアル磁気ギャップを形成し、ボイスコイルを上側ダンパーと下側ダンパーによって支持する構造のスピーカに関する。
【０００２】
【従来の技術】
小口径であっても十分な駆動範囲と耐入力を得ることにより低音再生を可能にするスピーカの技術がすでに開示されている。特開平９−１８２１８８号、発明の名称「スピーカユニット及びそのスピーカシステム」には、デュアル磁気ギャップを形成した磁気回路全体及びダンパーをボイスコイルボビンの内側に収容し、限られた空間を最大限に活かして効果をあげているスピーカ構造が記載されている。
【０００３】
【発明が解決しようとする課題】
しかし、従来のデュアル磁気ギャップを形成した磁気回路全体及びダンパーをボイスコイルボビンの内側に収容した構造のスピーカでは、その構造上、ダンパーの取り付け作業等は非常に難しく、治具に頼らざるを得ないという課題があった。
【０００４】
本発明はこのような点に鑑みてなされたものであり、デュアル磁気ギャップを形成した磁気回路全体及びダンパーをボイスコイルボビンの内側に収容した構造のスピーカであっても、ダンパーの取り付け作業等を精度よく容易にできる構造のスピーカを提供することを目的とする。
【０００５】
【課題を解決するための手段】
本発明のスピーカは、補助部材としてスペーサ１１を使用している。このスペーサ１１は予め別作業で上側ダンパー１０を取り付けられるように構成されており、上側ダンパー１０の固着のための治具とダンパー固着用の部品を兼用している。さらに、スペーサ１１を上側ポールピース１とボイスコイル４に固着した後、ジョイント部１１ａを切除し、ボイスコイル４の動作を可能とするとともに、外周部１１ｂをダンパー固定及びボイスコイル４の補強用部品として残す構成としている。
【０００６】
【発明の実施の形態】
上記課題を解決するために本発明のスピーカは、上側フレーム２と下側フレーム６とでフレームを構成し、マグネット２の上側と下側に上側ポールピース１と下側ポールピース３を各々設置し、これらの外周にデュアルギャップ用のボイスコイル４とリングヨーク７を配設してデュアル磁気ギャップを形成し、ボイスコイル４を上側ダンパー１０と下側ダンパー５によって支持する構造のスピーカにおいて、予め、内周部１１ａと外周部１１ｂとに上側ダンパー１０を接着したスペーサ１１を上側ポールピース１とボイスコイル４とに固着し、スペーサ１１のジョイント部１１ｃを切除したことに特徴を有している。
【０００７】
【実施例】
以下、本発明の一実施例を図１〜図３に基づいて説明する。図１は本発明の実施例におけるスピーカの断面図である。図２は本発明の一実施例におけるスピーカの上面図である。図３は本発明のスピーカにおけるスペーサの詳細図であり、（ａ）は上面図、（ｂ）は（ａ）のＡ−Ａ’断面図である。
図において、１は上側ポールピース，２はマグネット，３は下側ポールピース，３ａはダンパー接着部，４はボイスコイル，５は下側ダンパー，６は下側フレーム，７はリングヨーク，８は端子板，９は中継リード線，１０は上側ダンパー，１１はスペーサ，１１ａはスペーサ１１の内周部，１１ｂはスペーサ１１の外周部，１１ｃはスペーサ１１のジョイント部，１２は上側フレーム，１３は振動板，１４はエッジ，１５はＶＣリード線である。
【０００８】
図１に示されているように、スピーカのフレームは下側フレーム６と上側フレーム１２とに分離されているので、スペーサ１１に関連する複雑でしかも精度を要する作業等が上側フレーム１２の取り付け前の広い視野の中で行うことができる。
【０００９】
また、図２に示されているように、スペーサ１１をＶＣリード線１５や中継リード線９等の配線処理に利用することができる。
【００１０】
さらに、図３に示されているように、本願発明のポイントであるスペーサ１１は、同心円状に配された２つのリング状の内周部１１ａ，外周部１１ｂと、これらを連結する複数のジョイント部１１ｃから構成されている。別工程で、このスペーサ１１に上側ダンパー１０を取り付けることができる。この場合、上側ダンパー１０の固定の位置決め用ガイドとしても機能する。内周部１１ａを上側ポールピース１上部に、外周部１１ｂをボイスコイルボビンの内周に固着した後、ジョイント部１１ｃを切除することにより、ボイスコイル４の固定の位置決め用ガイドとしても機能するとともに、外周部１１ｂはボイスコイルボビンの補強をも兼ねている。
【００１１】
【発明の効果】
以上説明したように、本発明のスピーカは、上側フレーム１２と下側フレーム６とでフレームを構成し、マグネット２の上側と下側に上側ポールピース１と下側ポールピース３を各々設置し、これらの外周にデュアルギャップ用のボイスコイル４とリングヨーク７を配設してデュアル磁気ギャップを形成し、ボイスコイル４を上側ダンパー１０と下側ダンパー５によって支持する構造のスピーカにおいて、予め、内周部１１ａと外周部１１ｂとに上側ダンパー１０を接着したスペーサ１１を上側ポールピース１とボイスコイル４とに固着し、スペーサ１１のジョイント部１１ｃを切除するように構成されているので、
別工程で、このスペーサ１１に上側ダンパー１０の取り付け作業等を精度よく容易に行うことができる。しかも、ボイスコイル４および上側ダンパー１０の固定の位置決め用ガイドとして機能するとともに、外周部１１ｂはボイスコイルの補強をも兼ねるという顕著な作用効果がある。
【図面の簡単な説明】
【図１】本発明の一実施例におけるスピーカの断面図である。
【図２】本発明の一実施例におけるスピーカの上面図である。
【図３】本発明のスピーカに使用されるスペーサの詳細図であり、（ａ）は上面図、（ｂ）は（ａ）のＡ−Ａ’断面図である。
【符号の説明】
１  上側ポールピース
２  マグネット
３  下側ポールピース
３ａ  ダンパー接着部
４  ボイスコイル
５  下側ダンパー
６  下側フレーム
７  リングヨーク
８  端子板
９  中継リード線
１０  上側ダンパー
１１  スペーサ
１１ａ  内周部
１１ｂ  外周部
１１ｃ  ジョイント部
１２  上側フレーム
１３  振動板
１４  エッジ
【図１】
0004514947.tif 000002
【図２】
0004514947.tif 000003
【図３】
0004514947.tif 000004
(57)【特許請求の範囲】
【請求項１】
保護帽を固定した送気マスク用フェイスシールドであって、該送気マスク用フェイスシールドの保護帽の両側面のそれぞれに、フェイスシールドの内側に送気する送気路の吹き出し口を設け、該吹き出し口の一方が上向きに、該吹き出し口の他方が下向きになるように、該吹き出し口を左右非対称に設けた送気マスク用フェイスシールド。
【発明の詳細な説明】
【０００１】
【発明の属する技術分野】
本発明は、保護帽を有する送気マスクに使用する送気マスク用フェイスシールドに関する。
【０００２】
【従来技術】
送気マスクは装着者の顔面を覆って汚染されている外部と遮断し且つ視野を確保するアイピースと、該アイピースの周縁にはアイピ−スと顔面との間の空間（単にマスク内空間という）を陽圧（送気時）に保持するためのフェイスシールが設けられおり、電動ファン又はコンプレッサー等によって送気管を経て送気ダクトよりマスク内空間に清浄な空気が供給されている。更に一般に作業者の頭部を保護するための保護帽を取り付けて使用する。従って、作業者は保護帽を装着し、有害物質の存在する環境と作業者の顔面をアイピ−スによって隔離し、作業者は常に送気ダクトより供給される清浄な空気を吸うことができ、かつ、アイピースによって飛来物等から顔面を保護することができる。そして、保護帽の縁が送気ダクトの後方部と送気ダクトに調整可能に取り付けられているフレ−ムとで挟み込むようにして固定している。
フレームとバイザーにはアイピースを上下させる回転機構が設けられており、送気を必要としない安全区域での作業時或いは休憩時間等にはシールドを跳ね上げておくことができる。また、清浄な空気は、後方に取り付けられた送気管を通り送気ダクトで左右に分岐されて吹出し口より供給される。送気管吹出し口付近には、フェイスシールの補助を目的としたサイドシールが設けられており、サイドシ−ルは作業者の耳の位置により移動させることが可能である。
【０００３】
【発明が解決しようとする課題】
このようなフェイスシールを装着して作業者は有害環境下で作業を行うのであるが、左右から送気される気体は中央部分で流れがぶつかり合って乱流が発生し、この乱流が作業者の目の乾きを誘発するという問題点があった。
そこで、この問題点を解決するために種々検討した結果、本発明を完成したもので、本発明の目的はフェイスシールドを装着したときの作業者の目の乾きを軽減したフェイスシールドを提供することである。
【０００４】
【課題を解決するための要件】
本発明の要旨は、保護帽を固定した送気マスク用フェイスシールドであって、該送気マスク用フェイスシールドの保護帽の両側面のそれぞれに、フェイスシールドの内側に送気する送気路の吹き出し口を設け、該吹き出し口の一方が上向きに、該吹き出し口の他方が下向きになるように、該吹き出し口を左右非対称に設けた送気マスク用フェイスシールド保護帽を固定した送気マスク用フェイスシールドであって、該送気マスク用フェイスシールドである。
すなわち、本発明においては送気ダクトの先端の吹き出し口を左右非対称にすることで、従来の送気マスク用フェイスシールにおける中央部での気体のぶつかり合いによる乱流を避けることができ、その結果、作業者の目の乾きを軽減することができる。
【０００５】
【実施例】
次に本発明の実施例として図面をもって具体的に説明する。図１は本発明の送気マスク用フェイスシ−ルドの正面図であり、図２はその側面図である。図３は保護帽を固定する際の説明図、図４はシールド全開の説明図、図５は送気ダクトの上から見た詳細図である。
図において、アイピ−ス２にはフェイールシール３及びバイザー４が固定され、フレーム５に取り付けられている固定ネジ６によって、固定ネジ６を中心に回転可能に取り付けられている。フレーム５は送気ダクト７に設けられている調節ネジ８により作業者の保護帽サイズに合うように調整することができる。送気ダクト７の後部はに送気管が取り付けられており（図示せず）、送気ダクト７は左右に分岐しその先端には吹き出し口９，９が設けられており（図５参照）、作業者に新鮮な空気が送気できるようになっている。保護帽１の縁を送気ダクト７とフレ−ム６で挟み込むようにして固定する（図３参照）。また、送気を必要としない安全区域での作業時或いは休憩時間には、アイピース２を跳ね上げ全開とすることができる（図４参照）。
【０００６】
このようなフェイスシールドにおいて、清浄な空気を送気ダクトの吹き出し口９よりマスク内に供給すると空気は左右から吹き出され、中央部でぶつかり合って乱流をおこし、この乱流によって作業者の目の乾きを誘発する。
本発明においてはこの乱流が生じないように吹き出し口を非対称とするのである。吹き出し口を非対称にするとは吹き出し口の一方を例えば上方に、他方を下方に向ける等の手段によって行うことができる。
【０００７】
【発明の効果】
以上述べたように、本発明は送気ダクトの吹き出し口を非対称としたので、送気ダクトより供給される空気はマスク内で乱流を生じることを避けることができこれによって作業者の目の乾きを軽減する事ができるので長時間作業を行うことができる等の効果を奏する。
【図面の簡単な説明】
【図１】本発明にかかる送気マスク用フェイスシ−ルドの正面図
【図２】図１の送気マスク用フェイスシ−ルドの側面図
【図３】図１の送気マスク用フェイスシ−ルドに保護帽を固定する際の側面図
【図４】図１の送気マスク用フェイスシ−ルドのシールド全開の側面図
【図５】図１の送気マスク用フェイスシ−ルドの送気ダクトの上から見た詳細図
【符号の説明】
１  保護帽    ２  アイピ−ス   ３   フェイスシール  ４  バイザー
５  フレーム  ６  固定ネジ     ７   送気ダクト      ８  調節ネジ
９  送気ダクト吹き出し口
【図１】
0004514909.tif 000002
【図２】
0004514909.tif 000003
【図３】
0004514909.tif 000004
【図４】
0004514909.tif 000005
【図５】
0004514909.tif 000006
(57)【特許請求の範囲】
【請求項１】
本体１の外部Ａは円筒状で内部Ｂは逆Ｕ字型に構成され外部Ａには円筒の軸方向に延び縮みを可能とする切れ目ｂがあり内部Ｂは逆Ｕ字型であり先端イが常時開いていても閉じても開状態への復元力があり、円筒の外部Ａの下部ｃの延び縮みには内部Ｂの先端イの開閉を可能とする役わりがある、外部Ａと内部Ｂからなる機能部分を持った挟み具。
【請求項２】
本体１の外部Ａにある切れ目ｂは湾曲しており円筒の軸方向へと下部ｃが延びても上部ａへと戻る縮みをするので、本体１の内部Ｂの逆Ｕ字型の先端イが開状態から挟む事を可能とした請求項１に記載の円筒状の挟み具。
【発明の詳細な説明】
【０００１】
本体１の外部Ａの下部ｃを内部Ｂのふくらみ部アのある方向へと下げると外部Ａの切れ目ｂが延びてふくらみ部アで停止する外部Ａの下部ｃの下げる度合いで内部Ｂの先端イが狭まり挟む力が強度となる。
【０００２】
【従来の技術】
従来の挟み具洗濯挟みはしっかり挟む技術重視をしている為Ｘ状に組み合わせた物が多くスリムな物に乏しい又挟む度合いに対する機能がなく２種類の素材使用が多く再利用不用処理に対しても環境問題のひとつである。
【０００３】
【発明が解決しようとする課題】
挟み物をする際挟む力が強弱の度合いなる機能を取り入れスリム化で楽に挟み具合いで挟み物を外せる挟み具とする。
【０００４】
【課題を解決する為の手段】
本体１の外部Ａの下部ｃを内部Ｂのふくらみ部アの方向へと延ばす事で内部Ｂ逆Ｕ字型の内側へと押力が加わり先端イが閉じる挟む力下部ｃが内部Ｂのふくらみ部アの方向へと延びる度合いで強弱になる又外部Ａのバネの役わりをする切れ目ｂはふくらみ部アをつまむ事で外部Ａと内部Ｂの間に弛みが生じ湾曲の切れ目ｂが延び縮みする力によって下部ｃを上部ａの方向へと戻す仕組みが良い内部Ｂである逆Ｕ字型の先端イも開状態になる事で挟みやすい挟み具となる。
【０００５】
【実施例】
以下本説明の実施形態を図１に基づいて説明する。
【０００６】
干し物挟み物の際本体１の外部Ａの切れ目ｂの延び縮みする働きを利用して内部Ｂの逆Ｕ字型の先端イが開閉に作用する形態で挟む。
【０００７】
本体１の外部Ａと内部Ｂの逆Ｕ字型は強弱に挟めるのとすべりやすい強化プラスチック等の統一素材とする。
【０００８】
【発明の効果】
従来の挟む事に重点をおくのではなく挟む力の度合いを調節して立て型で円筒状の本体１は処理と再利用を考慮した統一素材の挟み具である。
【図面の簡単な説明】
【図１】本発明の実施形態を示す挟み調節可能挟み具。
【図１】
0004403236.tif 000002